(57)【要約】      （修正有）【課題】キーワード及びキーワードの重要度の設定作業を簡素化する討論評価装置及び討論評価プログラムを提供する。【解決手段】討論評価管理端末１００の表示部１０４により、グループ討論で必要な題材資料又は図示しない模範回答（資料）を表示し、システム制御部１１８により、題材資料又は図示しない模範回答（資料）から重み付けに対応する色で表示された文字列を抽出し、評価設定管理部１１６により、選択された文字列をグループ討論の評価のためのキーワードとしたグループ討論情報を生成し、システム制御部１１８により、グループ討論情報を分析装置２００に送信する。また、評価設定管理部１１６は、キーワードに重み付けを示す重み係数を付加する。【選択図】図２
2019008363.tif 000002
【特許請求の範囲】
【請求項１】
グループ討論で必要な資料を表示する表示部と、
前記表示された資料から重み付けに対応する色で表示された文字列を抽出するシステム制御部と、
選択された前記文字列を前記グループ討論の評価のためのキーワードとしたグループ討論情報を生成する評価設定管理部と、
前記グループ討論情報を分析装置に送信するシステム制御部とを備え、
前記評価設定管理部は、前記キーワードに前記重み付けを示す重み係数を付加する
ことを特徴とする討論評価装置。
【請求項２】
前記資料は、前記グループ討論で使用する題材資料又は前記グループ討論での記述回答に対する模範回答であることを特徴とする請求項１に記載の討論評価装置。
【請求項３】
前記操作部は、マーカーにより前記文字列を選択することを特徴とする請求項１又は２に記載の討論評価装置。
【請求項４】
討論評価装置を制御するコンピューターに実行させる討論評価プログラムであって、
表示部により、グループ討論で必要な資料を表示する工程と、
システム制御部により、前記表示された資料から重み付けに対応する色で表示された文字列を抽出する工程と、
評価設定管理部により、選択された前記文字列を前記グループ討論の評価のためのキーワードとしたグループ討論情報を生成する工程と、
システム制御部により、前記グループ討論情報を分析装置に送信する工程とを有し、
前記評価設定管理部は、前記キーワードに前記重み付けを示す重み係数を付加する
ことを特徴とする討論評価プログラム。
【発明の詳細な説明】
【技術分野】
【０００１】
本発明は、グループ討論での評価に適した討論評価装置及び討論評価プログラムに関する。
【背景技術】
【０００２】
教育の現場等においては、教育の一環としてグループ討論が行われる場合がある。グループ討論では、たとえば教師が用意した題材に沿って生徒が討論を行う。この場合、教師が生徒による題材に沿ったグループ討論での発言内容等を元に、グループ討論の評価を行う。
【０００３】
このようなグループ討論の評価に関するものとして、特許文献１では、特性語取得手段により、グループの状態に関わる少なくとも１つの特性毎に対応付けられた語、句、節又は文である設定された特性語を取得し、特性語抽出手段により、推定対象グループで提供された情報に係るテキストから特性語を抽出し、グループ状態決定手段により、抽出された特性語の出現数又は出現比率に基づいて、推定対象グループにおける特性の度合い又は割合を算出し、算出した特性の度合い又は割合に係る情報を、推定対象グループの状態とするグループ状態推定プログラムを提案している。
【先行技術文献】
【特許文献】
【０００４】
【特許文献１】特開２０１７−０２７５３６号公報
【発明の概要】
【発明が解決しようとする課題】
【０００５】
上述した特許文献１のグループ状態推定プログラムでは、抽出した特性語の出現数又は出現比率に基づき、推定対象グループにおける特性の度合い又は割合を算出することで、グループの状態を客観的に推定できる。
【０００６】
ところで、このグループ状態推定プログラムでは、推定対象グループにおける特性の度合い又は割合を算出するための語、句、節又は文である特性語を予め設定する必要がある。この場合、推定対象グループにおける特性の度合い又は割合の算出の元となる特性語を選定する必要があり、選定作業が繁雑となるという問題がある。
【０００７】
本発明は、このような状況に鑑みてなされたものであり、上記問題点を解消することができる討論評価装置及び討論評価プログラムを提供することを目的とする。
【課題を解決するための手段】
【０００８】
本発明の討論評価装置は、グループ討論で必要な資料を表示する表示部と、前記表示された資料から重み付けに対応する色で表示された文字列を抽出するシステム制御部と、選択された前記文字列を前記グループ討論の評価のためのキーワードとしたグループ討論情報を生成する評価設定管理部と、前記グループ討論情報を分析装置に送信するシステム制御部とを備え、前記評価設定管理部は、前記キーワードに前記重み付けを示す重み係数を付加することを特徴とする。
また、前記資料は、前記グループ討論で使用する題材資料又は前記グループ討論での記述回答に対する模範回答であることを特徴とする。
また、前記操作部は、マーカーにより前記文字列を選択することを特徴とする。
本発明の討論評価プログラムは、討論評価装置を制御するコンピューターに実行させる討論評価プログラムであって、表示部により、グループ討論で必要な資料を表示する工程と、システム制御部により、前記表示された資料から重み付けに対応する色で表示された文字列を抽出する工程と、評価設定管理部により、選択された前記文字列を前記グループ討論の評価のためのキーワードとしたグループ討論情報を生成する工程と、システム制御部により、前記グループ討論情報を分析装置に送信する工程とを有し、前記評価設定管理部は、前記キーワードに前記重み付けを示す重み係数を付加することを特徴とする。
本発明の討論評価装置及び討論評価プログラムでは、表示部により、グループ討論で必要な資料を表示し、システム制御部により、資料の文字列を重み付けに対応する色で表示された文字列を抽出し、評価設定管理部により、選択された文字列をグループ討論の評価のためのキーワードとしたグループ討論情報を生成し、システム制御部により、グループ討論情報を分析装置に送信する。また、評価設定管理部は、キーワードに重み付けを示す重み係数を付加する。
これにより、グループ討論の評価のためのキーワードを、操作部による、資料の文字列の選択によって行うことができる。また、キーワードに重み付けを示す重み係数を付加することで、キーワードの重要度を設定できる。
【発明の効果】
【０００９】
本発明の討論評価装置及び討論評価プログラムによれば、グループ討論の評価のためのキーワードを、操作部による、資料の文字列の選択によって行うことができ、また、キーワードに重み付けを示す重み係数を付加することで、キーワードの重要度を設定できるので、キーワード及びキーワードの重要度の設定作業を簡素化できる。
【図面の簡単な説明】
【００１０】
【図１】本発明の討論評価装置の一実施形態を説明するための図である。
【図２】図１のグループ討論管理端末、分析装置、グループ討論用端末の構成の一例を示す図である。
【図３】図１のグループ討論管理端末によって設定されるキーワードについて説明するための図である。
【図４】図１のグループ討論管理端末によって設定される情報について説明するものであって、図４（ａ）は図１のグループ討論管理端末によって生成されるグループ討論情報を説明するための図であり、図４（ｂ）はグループ討論情報に登録されるキーワードの重み係数について説明するための図である。
【図５】図１の分析装置による分析結果を示すものであり、図５（ａ）はグループ討論での音声の分析結果に基づいたグループ討論評価の一例を示す図であり、図５（ｂ）は記述回答の分析結果に基づいた記述回答評価の一例を示す図である。
【図６】図１の討論評価管理端末側での処理を説明するためのフローチャートである。
【図７】図１の分析装置側での処理を説明するためのフローチャートである。
【発明を実施するための形態】
【００１１】
以下、本発明の討論評価装置の一実施形態を、図１〜図７を参照しながら説明する。なお、以下の説明においての討論評価装置は、たとえば図１に示す討論評価管理端末１００である。
【００１２】
まず、図１に示すように、討論評価管理端末１００は、ネットワーク４００を介して分析装置２００とグループ討論用端末３００とに接続されている。ネットワーク４００は、インターネットやＬＡＮ（Local Area Network）等であってもよい。討論評価管理端末１００は、たとえばグループ討論の評価に必要な後述の図４（ａ）に示すグループ討論情報１２０等を生成する。分析装置２００は、討論評価管理端末１００からの後述の図４（ａ）に示すグループ討論情報１２０と、グループ討論用端末３００からの音声情報等とを受け取り、グループ討論の評価に必要な分析を行う。なお、分析装置２００は、構内に設置されていてもよいし、構外に設置されていてもよい。グループ討論用端末３００は、グループ討論で用いられる。グループ討論用端末３００としては、タブレットやノートパソコン等を使用できる。なお、符号３２０は、グループ討論用端末３００の後述の図２に示すパネル部３０２を介して文字等を入力する入力ペンを示している。
【００１３】
次に、図２を参照し、討論評価管理端末１００、分析装置２００、グループ討論用端末３００の構成の一例について説明する。まず、討論評価管理端末１００は、Ｉ／Ｆ（インターフェース）１０１、キーボード１０２、マウス１０３、表示部１０４、ＨＤＤ（Hard Disk Drive）１０５を制御する制御部１１０を備えている。
【００１４】
Ｉ／Ｆ１０１は、ネットワーク４００を介し、分析装置２００やグループ討論用端末３００等との通信を受け持つ。なお、Ｉ／Ｆ１０１は、ネットワーク４００を介し、図示しないコンテンツサーバーやウェブサーバーなどとの通信を受け持ってもよい。キーボード１０２は、制御部１１０に文字などを入力する入力デバイスである。マウス１０３は、制御部１１０に入力位置などを指示する入力デバイスである。表示部１０４は、文字等の情報を表示する。ＨＤＤ１０５は、討論評価管理端末１００の種々の機能を提供するためのアプリケーションプログラムなどを記憶している記憶デバイスである。
【００１５】
制御部１１０は、アプリケーションプログラム及び制御プログラムなどを実行して討論評価管理端末１００全体の動作を制御するプロセッサーである。制御部１１０は、通信制御部１１１、ＲＡＭ（Random Access Memory）１１２、ＲＯＭ（Read-Only Memory）１１３、入力デバイス制御部１１４、表示制御部１１５、評価設定管理部１１６、ＨＤＤ制御部１１７、システム制御部１１８を備えている。また、これらは、データバス１１９に接続されている。
【００１６】
通信制御部１１１は、Ｉ／Ｆ１０１を介し、分析装置２００、グループ討論用端末３００等との送受信の制御を行う。ＲＡＭ１１２は、プログラムを実行するためのワークメモリーである。ＲＯＭ１１３には、各部の動作チェックなどを行う制御プログラムが記憶されている。入力デバイス制御部１１４は、キーボード１０２及びマウス１０３の入力動作を制御し、キーボード１０２及びマウス１０３の入力信号を制御部１１０に渡す。表示制御部１１５は、表示部１０４の表示動作を制御する。評価設定管理部１１６は、詳細については後述するが、グループ討論での評価に関わる情報を管理する。ＨＤＤ制御部１１７は、ＨＤＤ１０５に対するデータの読み出し及び書き込みなどを制御する。
【００１７】
システム制御部１１８は、各部の連携動作などを制御する。また、システム制御部１１８は、評価設定管理部１１６に対し、後述の図４（ａ）に示すグループ討論情報１２０等の生成を指示する。
【００１８】
分析装置２００は、Ｉ／Ｆ２０１、ＨＤＤ２０２等を制御する制御部２１０を備えている。Ｉ／Ｆ２０１は、討論評価管理端末１００、グループ討論用端末３００等との通信を受け持つ。なお、Ｉ／Ｆ２０１は、ネットワーク４００を介し、図示しないコンテンツサーバーやウェブサーバーなどとの通信を受け持ってもよい。
【００１９】
制御部２１０は、アプリケーションプログラム及び制御プログラムなどを実行して分析装置２００全体の動作を制御するプロセッサーである。制御部２１０は、ＲＡＭ２１１、ＲＯＭ２１２、音声認識部２１３、発話分析部２１４、記述分析部２１５、ＨＤＤ制御部２１６、通信制御部２１７、システム制御部２１８を備えている。また、これらは、データバス２１９に接続されている。
【００２０】
ＲＡＭ２１１は、プログラムを実行するためのワークメモリーである。ＲＯＭ２１２は、各部の動作チェックなどを行う制御プログラムを記憶している。音声認識部２１３は、グループ討論用端末３００からのグループ討論での音声情報を元に音声認識を行い、音声認識の結果としてテキストを作成する。発話分析部２１４は、音声認識部２１３が作成したテキストと、後述の図４（ａ）に示すグループ討論情報１２０の項目欄１２０ｅ〜１２０ｇに登録されているキーワードａ〜ｃ及び重み係数とを元に、たとえば理解力、表現力、積極性、協調性についての分析を行う。記述分析部２１５は、グループ討論用端末３００から受け取ったグループ討論での図示しない記述回答情報と、討論評価管理端末１００から受け取った図示しない模範回答情報とを比較し、たとえば理解力、表現力についての分析を行う。ＨＤＤ制御部２１６は、ＨＤＤ２０２に対するデータの読み出し及び書き込みなどを制御する。通信制御部２１７は、Ｉ／Ｆ２０１を介し、討論評価管理端末１００、グループ討論用端末３００との間で、データなどの送受信の制御を行う。
【００２１】
システム制御部２１８は、各部の連携動作などを制御する。また、システム制御部２１８は、討論評価管理端末１００から受け取った後述の図４（ａ）に示すグループ討論情報１２０をＨＤＤ２０２に記憶させる。また、システム制御部２１８は、グループ討論用端末３００から受け取った音声情報をＨＤＤ２０２に記憶させる。また、システム制御部２１８は、討論評価管理端末１００から受け取った図示しない模範回答情報と、グループ討論用端末３００から受け取った図示しない記述回答情報とをＨＤＤ２０２に記憶させる。
【００２２】
グループ討論用端末３００は、Ｉ／Ｆ３０１、パネル部３０２、スピーカー３０３、マイク３０４等を制御する制御部３１０を備えている。Ｉ／Ｆ３０１は、ネットワーク４００を介し、分析装置２００、討論評価管理端末１００等との通信を受け持つ。なお、Ｉ／Ｆ３０１は、ネットワーク４００を介し、図示しないコンテンツサーバーやウェブサーバーなどとの通信を受け持ってもよい。パネル部３０２は、文字等の情報を表示する。また、パネル部３０２は、入力ペン３２０や指先等による入力を受け付けるタッチパネルでもある。スピーカー３０３は、音声を出力する。マイク３０４は、グループ討論での音声を取り込む。
【００２３】
制御部３１０は、アプリケーションプログラム及び制御プログラムなどを実行してグループ討論用端末３００全体の動作を制御するプロセッサーである。制御部３１０は、ＲＡＭ３１１、ＲＯＭ３１２、通信制御部３１３、パネル操作制御部３１４、スピーカー制御部３１５、マイク制御部３１６、システム制御部３１７を備えている。また、これらは、データバス３１８に接続されている。
【００２４】
ＲＡＭ３１１は、プログラムを実行するためのワークメモリーである。ＲＯＭ３１２には、各部の動作チェックなどを行う制御プログラムが記憶されている。通信制御部３１３は、Ｉ／Ｆ３０１を介し、分析装置２００、討論評価管理端末１００等との送受信の制御を行う。パネル操作制御部３１４は、パネル部３０２の表示動作を制御する。また、パネル操作制御部３１４は、入力ペン３２０や指先等によるタッチ操作によっての入力を受け付ける。スピーカー制御部３１５は、スピーカー３０３の音声出力を制御する。マイク制御部３１６は、マイク３０４の音声の取り込みを制御する。システム制御部３１７は、スピーカー３０３から取り込んだ音声を、たとえばＲＡＭ３１１に記憶させる。また、システム制御部３１７は、パネル操作制御部３１４がパネル部３０２を介して記述回答を受け付けると、パネル操作制御部３１４が受け付けた記述回答をＲＡＭ３１１に記憶させる。また、システム制御部３１７は、グループ討論が完了すると、討論評価管理端末１００にグループ討論の完了を示す通知を出す。また、システム制御部３１７は、討論評価管理端末１００からの音声情報の送信指示があると、分析装置２００に対してグループ討論での音声情報を送信する。
【００２５】
次に、図３及び図４を参照し、討論評価管理端末１００によるグループ討論の評価に必要な情報の設定について説明する。まず、図３は、グループ討論で使用される題材資料１５０の一例を示している。ここで、題材資料１５０は、ワープロソフトで作成されたテキストであってもよいし、画像形成装置のスキャナーによって読み取られ、ＯＣＲ（Optical Character Reader）によって文字認識されたテキストであってもよい。
【００２６】
題材資料１５０に示されている符号ａ１〜ｃ１は、グループ討論の評価に必要なキーワードａ〜ｃの選択を示すマーカーを示している。題材資料１５０にマーカーａ１〜ｃ１を付加する場合、たとえば題材資料１５０を表示部１０４に表示させた状態で、キーボード１０２又はマウス１０３を操作し、キーワードａ〜ｃとする文字列を選択する。なお、ＯＣＲによって文字認識されたテキストの場合、予め図示しない原稿にマーカーａ１〜ｃ１を付加しておくことで、表示部１０４上でのマーカーａ１〜ｃ１の付加を省くことができる。また、題材資料１５０に付加されたマーカーａ１の色が赤で、マーカーｂ１の色が青で、マーカーｃ１の色が緑になっている。このように、マーカーａ１〜ｃ１の色を異ならせることで、それぞれのキーワードａ〜ｃの重要度を示すことができる。また、それぞれのキーワードａ〜ｃの重要度は、たとえば後述の図４（ｂ）のように、重み係数で示すことができる。なお、図３では、マーカーａ１〜ｃ１の付加によってキーワードａ〜ｃを選択させる場合としているが、これに限らず、文字列自体の色を変えることで、色を変えた文字列をキーワードａ〜ｃとしてもよい。また、文字列自体を色別の枠で囲い、枠で囲った文字列をキーワードａ〜ｃとしてもよい。
【００２７】
次に、図４を参照し、討論評価管理端末１００によって生成するグループ討論の評価用の情報について説明する。図４（ａ）はグループ討論情報１２０を示し、図４（ｂ）はキーワードａ〜ｃの重み付け情報１３０を示している。まず、図４（ａ）に示すグループ討論情報１２０には、タイトルを示す項目欄１２０ａ、日時を示す項目欄１２０ｂ、種別を示す項目欄１２０ｃ、グループ名を示す項目欄１２０ｄ、重み係数を含むキーワードａ〜ｃを示す項目欄１２０ｅ〜１２０ｆが設けられている。ここで、項目欄１２０ａ〜１２０ｄには、討論評価管理端末１００のキーボード１０２等の操作により、タイトル、日時、種別、グループ名が入力される。これに対し、項目欄１２０ｅ〜１２０ｆには、題材資料１５０に付加された色別のマーカーａ１〜ｃ１に該当する内容が反映される。なお、項目欄１２０ｅ〜１２０ｆにおける色別のマーカーａ１〜ｃ１に該当する内容が反映は、評価設定管理部１１６が行う。
【００２８】
すなわち、マーカーａ１〜ｃ１の色による重み係数は、キーワードａ〜ｃの重要度を示すものであり、たとえば図４（ｂ）に示す重み付け情報１３０のように設定されているとする。ここで、赤の重み係数が１．０、青の重み係数が０．８、緑の重み係数が０．６、黄色の重み係数が０．４、紫の重み係数が０．２となっているとする。なお、それぞれの色及び重み係数の値については、任意に変更できる。項目欄１２０ｅの「大人になっても、うそをつかず」としたキーワードａは、図３に示した赤のマーカーａ１が付された文字列である。また、赤の重み係数は、図４（ｂ）のように、１．０となる。評価設定管理部１１６は、図４（ｂ）の重み付け情報１３０を参照し、図３の赤のマーカーａ１が付された文字列とマーカーａ１の色とを元に、キーワードａとキーワードａの重み係数とを取得し、項目欄１２０ｅに登録する。同様に、評価設定管理部１１６は、図４（ｂ）の重み付け情報１３０を参照し、図３の青のマーカーｂ１が付されたキーワードｂである文字列（今後のご恩は決して忘れません）と、マーカーｂ１の色とを元に、キーワードｂとキーワードｂの重み係数（０．８）とを取得し、項目欄１２０ｆに登録する。また、評価設定管理部１１６は、図４（ｂ）の重み付け情報１３０を参照し、図３の緑のマーカーｃ１が付されたキーワードｃである文字列（悪い評判）と、マーカーｃ１の色とを元に、キーワードｃとキーワードｃの重み係数（０．６）とを取得し、項目欄１２０ｆに登録する。
【００２９】
また、項目欄１２０ｅ〜１２０ｆのキーワードａ〜ｃには、下線で示すリンク情報が付加されている。たとえばマウス１０３で下線が付加されたキーワードａをクリックすると、図３に示した題材資料１５０のキーワードａに該当する「大人になっても、うそをつかず」とした文字列が表示される。また、図４（ｂ）の重み付け情報１３０は、記述回答の評価においても使用できる。すなわち、図３の題材資料１５０と同様に、記述回答に対する模範回答の文字列にマーカーａ１〜ｃ１を付加しておくことで、評価に必要なキーワードａ〜ｃの設定が可能となる。
【００３０】
なお、記述回答に対する評価においては、たとえば図示しない模範回答情報の文字列に、図３に示したマーカーａ１〜ｃ１を付加することで、評価設定管理部１１６がグループ討論情報１２０と同様に、記述回答の評価に必要なキーワードａ〜ｃと重み係数とを含む評価情報を作成する。
【００３１】
次に、図５を参照し、分析装置２００によるグループ討論の評価について説明する。ここで、図５（ａ）はグループ討論での評価の一例を示し、図５（ｂ）は記述回答での評価の一例を示している。まず、図５（ａ）では、発話分析部２１４による分析により、グループ討論での音声の分析結果を示している。すなわち、発話分析部２１４は、討論評価管理端末１００からの図３の題材資料１５０を示す題材資料情報と、図４（ａ）のグループ討論情報１２０と、音声認識部２１３の音声認識結果とを元に、発話分析を行う。この場合、発話分析部２１４は、たとえば音声認識部２１３の音声認識結果に、グループ討論情報１２０のキーワードａ〜ｃがどのぐらい含まれているかを分析する。また、発話分析部２１４は、グループ討論情報１２０のキーワードａ〜ｃに対応する重み係数を参照し、分析したキーワードａ〜ｃの出現回数に応じた分析値を算出する。すなわち、たとえば重み係数の大きい「大人になっても、うそをつかず」としたキーワードａが音声認識結果に５０個含まれていて、重み係数の小さい「悪い評判」としたキーワードｃが７０個含まれていたとする。この場合、たとえばそれぞれのキーワードａ、ｃの出現回数に重み係数を乗算することで、重み係数が１．０のキーワードａについては５０とした分析値が得られ、重み係数が０．６のキーワードｃについては４２とした分析値が得られる。これにより、重要度の高いキーワードａの分析値が高くなる。そして、発話分析部２１４は、それぞれのキーワードａ〜ｃの分析結果による分析値に基づき、図５（ａ）のように、たとえば理解力、表現力、積極性、協調性等についての分析結果であるグループ討論評価２３０を作成する。
【００３２】
図５（ｂ）は、記述分析部２１５が作成する記述回答評価２４０である。記述分析部２１５は、グループ討論用端末３００から受け取ったグループ討論での図示しない記述回答情報と、討論評価管理端末１００が受け取った図示しない模範回答情報とを比較し、たとえば理解力、表現力についての分析を行い、分析結果である記述回答評価２４０を作成する。すなわち、模範回答情報の文字列に、図３に示したマーカーａ１〜ｃ１を付加することで、評価設定管理部１１６が図４（ａ）に示したグループ討論情報１２０と同様に、記述回答の評価に必要なキーワードａ〜ｃと重み係数とを含む評価情報を作成する。そして、記述分析部２１５は、たとえば記述回答情報に、グループ討論情報１２０のキーワードａ〜ｃがどのぐらい含まれているかを分析する。また、記述分析部２１５は、グループ討論情報１２０のキーワードａ〜ｃに対応する重み計数を参照し、分析したキーワードａ〜ｃの出現回数に応じた分析値を算出する。すなわち、記述分析部２１５は、たとえばキーワードａ〜ｃの出現回数に重み計数を乗算することで、分析したキーワードａ〜ｃの分析値を算出する。記述分析部２１５は、記述分析部２１５が図示しない記述回答情報と、図示しない模範回答情報とを比較し、さらにキーワードａ〜ｃに対応する重み係数を含む評価情報を参照することで、キーワードａ〜ｃの分析結果による分析値に基づき、図５（ｂ）のように、例えば、理解力、表現力等の記述回答評価２４０を作成する。なお、グループ討論評価２３０や記述回答評価２４０を示すグラフについては、棒グラフであってもよいし、円グラフであってもよいし、レーダーチャートであってもよい。
【００３３】
次に、図６を参照し、討論評価管理端末１００側の処理について説明する。なお、以下においては、題材資料１５０に基づいたグループ討論の場合で説明する。
【００３４】
（ステップＳ１０１）
システム制御部１１８は、題材資料情報（すなわち題材資料１５０）を表示させる。
この場合、システム制御部１１８は、表示制御部１１５に対し、表示部１０４に図３に示した題材資料１５０の表示を指示する。
【００３５】
（ステップＳ１０２）
システム制御部１１８は、図４（ｂ）に示す色のマーカー（本実施形態ではマーカーａ１〜ｃ１）が付加されたかどうか（または付加されているかどうか）を判断する。
この場合、表示制御部１１５は、表示された題材資料１５０の文字列にマーカーａ１〜ｃ１が付加されていれば、マーカーａ１〜ｃ１が付加されたことをシステム制御部１１８に通知する。システム制御部１１８は、表示制御部１１５からのマーカーａ１〜ｃ１が付加されたことを示す通知が（たとえば一定時間）無ければマーカーａ１〜ｃ１が付加されないと判断する（ステップＳ１０２：Ｎｏ）。
これに対し、システム制御部１１８は、表示制御部１１５からのマーカーａ１〜ｃ１が付加されたことを示す通知が有ればマーカーａ１〜ｃ１が付加されたと判断し（ステップＳ１０２：Ｙｅｓ）、ステップＳ１０３に移行する。
【００３６】
（ステップＳ１０３）
システム制御部１１８は、グループ討論情報１２０の生成を指示する。
この場合、システム制御部１１８は、評価設定管理部１１６に対し、グループ討論情報１２０の生成を指示する。
このとき、評価設定管理部１１６は、題材資料１５０に付加されたマーカーａ１〜ｃ１が示す文字列をキーワードａ〜ｃとして抽出し、図４（ａ）に示したグループ討論情報１２０の項目欄１２０ｅ〜１２０ｇに登録する。また、評価設定管理部１１６は、図４（ｂ）の重み付け情報１３０を参照し、題材資料１５０に付加されたマーカーａ１〜ｃ１の色に応じた重み係数をキーワードａ〜ｃに対応させて登録する。
なお、グループ討論情報１２０の項目欄１２０ａ〜１２０ｄには、タイトル、日時、種別、グループ名が既に登録されているものとする。
【００３７】
（ステップＳ１０４）
システム制御部１１８は、グループ討論情報１２０の生成が完了したかどうかを判断する。
この場合、システム制御部１１８は、評価設定管理部１１６からのグループ討論情報１２０の生成が完了したことを示す通知が無ければグループ討論情報１２０の生成が完了していないと判断する（ステップＳ１０４：Ｎｏ）。
これに対し、システム制御部１１８は、評価設定管理部１１６からのグループ討論情報１２０の生成が完了したことを示す通知が有ればグループ討論情報１２０の生成が完了したと判断し（ステップＳ１０４：Ｙｅｓ）、ステップＳ１０５に移行する。
【００３８】
（ステップＳ１０５）
システム制御部１１８は、グループ討論情報１２０を送信させる。
この場合、システム制御部１１８は、通信制御部１１１に対し、評価設定管理部１１６が生成したグループ討論情報１２０を分析装置２００に送信させる。
【００３９】
（ステップＳ１０６）
システム制御部１１８は、グループ討論が終了したかどうかを判断する。
この場合、システム制御部１１８は、通信制御部１１１を介し、グループ討論用端末３００からのグループ討論の終了を示す通知が無ければグループ討論が終了していないと判断する（ステップＳ１０６：Ｎｏ）。
これに対し、システム制御部１１８は、通信制御部１１１を介し、グループ討論用端末３００からのグループ討論の終了を示す通知が有ればグループ討論が終了したと判断し（ステップＳ１０６：Ｙｅｓ）、ステップＳ１０７に移行する。
【００４０】
（ステップＳ１０７）
システム制御部１１８は、通信制御部１１１を介し、グループ討論用端末３００に対して音声情報の送信を指示する。
このとき、グループ討論用端末３００のシステム制御部３１７は、たとえばＲＡＭ３１１に記憶させたグループ討論での音声情報を通信制御部３１３を介し、分析装置２００に送信する。
なお、図６に示す処理おいて、題材資料１５０を模範回答資料と読み替えることができる。
【００４１】
次に、図７を参照し、分析装置２００側の処理について説明する。
【００４２】
（ステップＳ２０１）
システム制御部２１８は、グループ討論情報１２０を受け取ったかどうかを判断する。
この場合、システム制御部２１８は、通信制御部２１７からのグループ討論情報１２０を受け取ったことを示す通知が無ければグループ討論情報１２０を受け取っていないと判断する（ステップＳ２０１：Ｎｏ）。
これに対し、システム制御部２１８は、通信制御部２１７からのグループ討論情報１２０を受け取ったことを示す通知が有ればグループ討論情報１２０を受け取ったと判断し（ステップＳ２０１：Ｙｅｓ）、ステップＳ２０２に移行する。
【００４３】
（ステップＳ２０２）
システム制御部２１８は、音声情報を受け取ったかどうかを判断する。
この場合、システム制御部２１８は、通信制御部２１７からの音声情報を受け取ったことを示す通知が無ければ音声情報を受け取っていないと判断する（ステップＳ２０２：Ｎｏ）。
これに対し、システム制御部２１８は、通信制御部２１７からの音声情報を受け取ったことを示す通知が有れば音声情報を受け取ったと判断し（ステップＳ２０２：Ｙｅｓ）、ステップＳ２０３に移行する。
【００４４】
（ステップＳ２０３）
システム制御部２１８は、音声認識を指示する。
この場合、システム制御部２１８は、音声認識部２１３に対して音声認識を指示する。
このとき、音声認識部２１３は、音声情報に対する音声認識の結果を元に、テキストを作成する。
【００４５】
（ステップＳ２０４）
システム制御部２１８は、音声認識が完了したかどうかを判断する。
この場合、システム制御部２１８は、音声認識部２１３からの音声認識が完了したことを示す通知が無ければ音声認識が完了していないと判断する（ステップＳ２０４：Ｎｏ）。
これに対し、システム制御部２１８は、音声認識部２１３からの音声認識が完了したことを示す通知が有れば音声認識が完了したと判断し（ステップＳ２０４：Ｙｅｓ）、ステップＳ２０５に移行する。
【００４６】
（ステップＳ２０５）
システム制御部２１８は、音声分析を指示する。
この場合、システム制御部２１８は、発話分析部２１４に対し、音声分析を指示する。
このとき、発話分析部２１４は、音声認識部２１３が作成したテキストと、図４（ａ）のグループ討論情報１２０の項目欄１２０ｅ〜１２０ｇのキーワードａ〜ｃとを元に、たとえば理解力、表現力、積極性、協調性についての分析を行う。また、発話分析部２１４は、分析結果を示す図５（ａ）のグループ討論評価２３０を作成する。
【００４７】
（ステップＳ２０６）
システム制御部２１８は、音声分析が完了したかどうかを判断する。
この場合、システム制御部２１８は、発話分析部２１４からの音声分析が完了したことを示す通知が無ければ音声分析が完了していないと判断する（ステップＳ２０６：Ｎｏ）。
これに対し、システム制御部２１８は、発話分析部２１４からの音声分析が完了したことを示す通知が有れば音声分析が完了したと判断し（ステップＳ２０６：Ｙｅｓ）、ステップＳ２０７に移行する。
【００４８】
（ステップＳ２０７）
システム制御部２１８は、分析結果を送信させる。
この場合、システム制御部２１８は、通信制御部２１７に対し、発話分析部２１４が作成した分析結果である図５（ａ）のグループ討論評価２３０の送信を指示する。
このとき、通信制御部２１７は、発話分析部２１４が作成した分析結果である図５（ａ）のグループ討論評価２３０を討論評価管理端末１００に送信する。
【００４９】
このように、本実施形態では、討論評価管理端末１００の表示部１０４により、グループ討論で必要な題材資料１５０又は図示しない模範回答（資料）を表示し、システム制御部１１８により、題材資料１５０又は図示しない模範回答（資料）から重み付けに対応する色で表示された文字列を抽出し、評価設定管理部１１６により、選択された文字列をグループ討論の評価のためのキーワードａ〜ｃとしたグループ討論情報１２０を生成し、システム制御部１１８により、グループ討論情報１２０を分析装置２００に送信する。また、評価設定管理部１１６は、キーワードａ〜ｃに重み付けを示す重み係数を付加する。
【００５０】
これにより、グループ討論の評価のためのキーワードａ〜ｃの抽出を、キーボード１０２又はマウス１０３（操作部）による、題材資料１５０又は図示しない模範回答（資料）の文字列の選択、または原稿にマーキングペンでマーカーが付加された題材資料１５０又は図示しない模範回答（資料）を読み込むことによって行うことができ、また、キーワードａ〜ｃに重み付けを示す重み係数を付加することで、キーワードａ〜ｃの重要度を設定できるので、キーワードａ〜ｃ及びキーワードａ〜ｃの重要度の設定作業を簡素化できる。
【００５１】
なお、図６に示すステップＳ１０４の後、ステップＳ１０５を実行する前に、システム制御部１１８は、表示制御部１１５に対し、表示部１０４に生成したグループ討論情報１２０の表示を指示してもよい。この場合、表示されたグループ討論情報１２０のキーワードが選択（たとえば画面上でクリック）されると、システム制御部１１８は、表示制御部１１５に対し、題材資料１５０において選択されたキーワードが示されている箇所（たとえばページ）の表示を指示してもよい。ここで、システム制御部１１８は、キーボード１０２やマウス１０３の操作に応じて、表示されている題材資料１５０に付加されているマーカーａ１〜ｃ１の範囲や色の修正を受け付けてもよいし、新たなマーカーの付加を受け付けてもよい。この場合、処理をステップＳ１０１に戻してもよい。
【００５２】
また、キーワードａ〜ｃが音声認識結果から得られた場合と、模範回答情報から得られた場合とでキーワードａ〜ｃに付加される重み係数の規定値を異ならせてもよい。
【符号の説明】
【００５３】
１００  討論評価管理端末
１０１、２０１、３０１  Ｉ／Ｆ
１０２  キーボード
１０３  マウス
１０４  表示部
１０５、２０２  ＨＤＤ
１１０、２１０、３１０  制御部
１１１、２１７、３１３  通信制御部
１１２、２１１、３１１  ＲＡＭ
１１３、２１２、３１２  ＲＯＭ
１１４  入力デバイス制御部
１１５  表示制御部
１１６  評価設定管理部
１１７、２１６  ＨＤＤ制御部
１１８、２１８、３１７  システム制御部
１１９、２１９、３１８  データバス
１２０  グループ討論情報
１２０ａ〜ｇ  項目欄
１３０  重み付け情報
１５０  題材資料
２００  分析装置
２１３  音声認識部
２１４  発話分析部
２１５  記述分析部
２３０  グループ討論評価
２４０  記述回答評価
３００  グループ討論用端末
３０２  パネル部
３０３  スピーカー
３０４  マイク
３１４  パネル操作制御部
３１５  スピーカー制御部
３１６  マイク制御部
３２０  入力ペン
４００  ネットワーク
ａ〜ｃ  キーワード
ａ１〜ｃ１  マーカー
【図１】
2019008363.tif 000003
【図２】
2019008363.tif 000004
【図３】
2019008363.tif 000005
【図４】
2019008363.tif 000006
【図５】
2019008363.tif 000007
【図６】
2019008363.tif 000008
【図７】
2019008363.tif 000009